(57)【要約】【課題】照明ムラがなくて意匠性が向上し、且つ照明板を安価に落下防止するエレベーターカゴ室天井照明装置を提供する。【解決手段】エレベーターカゴ室天井照明装置は、エレベーターのカゴ室天井の開口部をカバーする長尺の照明板を用いたエレベーターカゴ室天井照明装置において、一端が上記カゴ室天井の室外側に配置された天蓋部に固定され且つ他端で上記照明板の外縁部を上記カゴ室天井に押さえ付けるとともに上記天蓋部に固定された直管蛍光灯の非発光部に相対する上記照明板に上記直管蛍光灯が発する光の一部を導く反射板を備える。【選択図】図２
2010058880.tif 000002
【特許請求の範囲】
【請求項１】
エレベーターのカゴ室天井の開口部をカバーする長尺の照明板を用いたエレベーターカゴ室天井照明装置において、
一端が上記カゴ室天井の室外側に配置された天蓋部に固定され且つ他端で上記照明板の外縁部を上記カゴ室天井に押さえ付けるとともに上記天蓋部に固定された直管蛍光灯の非発光部に相対する上記照明板に上記直管蛍光灯が発する光の一部を導く反射板を備えることを特徴とするエレベーターカゴ室天井照明装置。
【発明の詳細な説明】
【技術分野】
【０００１】
この発明は、エレベーターのカゴ室を天井側から照明するエレベーターカゴ室天井照明装置に関するものである。
【背景技術】
【０００２】
近年、エレベーターでは昇降路の省スペース化が顕著であり、それに伴いエレベーター機器についてもコンパクト設計が求められている。そのため、特にエレベーターカゴ室の天井においては天井内に収容する機器を薄型に構成しコンパクト化する必要がある。また、特に天井内に設置する照明器具に関しては小型化を推進する傾向にあるものの機器コストアップ、入手性の側面から基幹機種に対する導入は難しい。
天井照明装置としては、天井板に設けた開口を覆う照明カバーの断面形状をハット状とし、その照明カバーのフランジ部分を天井板の開口端縁に乗るようにするとともに、その
照明カバーの端部を器具ボックスの側板に設けた板ばねで弾性的に押し付ける構成としたものが知られている（例えば、特許文献１参照）。
【０００３】
そこで、照明カバーが天井板に設けた開口に対して脱着可能となるように、器具ボックスに照明カバーを固定金具により取り付け、固定金具を、器具ボックス側に取り付けられる取付部材と、この取付部材に対向して設けられる板ばね部材と、この板ばね部材と取付部材との間に挟持されるボールとから構成し、板ばね部材にボールが係止するところの嵌合孔及び係子片を設け、かつ、照明カバーにボールの位置決め孔となる位置決め孔を設ける（例えば、特許文献２参照）。
【０００４】
【特許文献１】実開昭５２−１１２１８１号公報
【特許文献２】特開２００２−２１１８５８号公報
【発明の開示】
【発明が解決しようとする課題】
【０００５】
しかし、特許文献２に記載の天井照明装置の薄型化を実施した場合、薄型化しないときには蛍光灯から直接発光される光束量と天井内の周囲の壁に反射して発光される多重反射光束量により、ムラ無く照明板から均等に光束量を透過されることが可能であったが、蛍光灯を照明板に接近させたことにより照明板と蛍光灯の距離を小さくなり、蛍光灯から直接発光される光束量が蛍光灯イメージとして照明板に映し出され、非発光部のソケット部が逆に目立ち意匠性の低下を招くという問題がある。
また、照明板に固定するためや落下防止を図るための別部品が追加加工されているため高価になるという問題がある。
【０００６】
この発明の目的は、照明ムラがなくて意匠性が向上し、且つ照明板を安価に落下防止するエレベーターカゴ室天井照明装置を提供することである。
【課題を解決するための手段】
【０００７】
この発明に係るエレベーターカゴ室天井照明装置は、エレベーターのカゴ室天井の開口部をカバーする長尺の照明板を用いたエレベーターカゴ室天井照明装置において、一端が上記カゴ室天井の室外側に配置された天蓋部に固定され且つ他端で上記照明板の外縁部を上記カゴ室天井に押さえ付けるとともに上記天蓋部に固定された直管蛍光灯の非発光部に相対する上記照明板に上記直管蛍光灯が発する光の一部を導く反射板を備える。
【発明の効果】
【０００８】
この発明に係るエレベーターカゴ室天井照明装置の効果は、薄型化できるとともに薄型化に伴って引き起こされる照明ムラを低減でき、且つ安価に照明板の落下防止を施すことができることである。
【発明を実施するための最良の形態】
【０００９】
図１は、この発明を実施するための最良の形態のエレベーターカゴ室天井照明装置が配置されたエレベーターカゴ室内の様子を示す斜視図である。図２は、エレベーターカゴ室天井照明装置のＡ−Ａ断面での縦断面図である。図３は、エレベーターカゴ室天井照明装置を照明板を除いて見た平面図である。図４は、エレベーターカゴ室天井照明装置のＢ−Ｂ断面での横断面図である。
この発明を実施するための最良の形態のエレベーターカゴ室天井照明装置１は、エレベーターカゴ室２の天井３に開けられた開口部４を覆う照明板５を備える。照明板５は、乳白色の樹脂素材から作製されており、外形寸法は開口部４より一回り大きくしてある。照明板５のグローブ６は開口部４に収まるように凹んでおり、外縁部７は開口部４の周囲の天井３に載っかるように鍔状に加工されている。
【００１０】
また、エレベーターカゴ室天井照明装置１は、天蓋８に固定されたソケット９、ソケット９により両端が支持された直管蛍光灯１０、一端が天蓋８に固定されるとともに他端が照明板５の外縁部７を天井３との間で押さえ付ける反射板１１を備える。
ソケット９は、直管蛍光灯１０の長さだけ離間している。
【００１１】
反射板１１は、天蓋８にねじ１２で固定できるようにねじ穴が開けられた固定部１３と、固定部１３を天蓋８に固定したときソケット９が貫通する矩形の穴１４が設けられるとともに天蓋８に対してハの字状に天井３に近づく程広がる傾斜部１５と、傾斜部１５に連なるとともに反射板１１に外力が加わっていないとき天井３との間に所定の隙間を形成する応圧部１６とにより構成される。
反射板１１は、バネ材から作製されるが、弾力性のある樹脂品から作製しても良い。
【００１２】
次に、直管蛍光灯１０を取り替えるときの手順について説明する。
通常は図２に示すように、照明板５は外縁部７が天井３と反射板１１の応圧部１６とにより挟まれて上下方向への動きが抑えられている。また、照明板５はグローブ６が開口部４に嵌め込まれたように収まっているので、水平方向への動きも抑えられている。
直管蛍光灯１０をソケット９から取り外して新しい直管蛍光灯１０を取り付けるためには照明板５を開口部４を通してエレベーターカゴ室２側に取り外すことが必要である。
まず、図５（ａ）に示すように、照明板５の長手方向の一方の外縁部７ａを天蓋８側に押し上げる。すると、外縁部７ａが反射板１１を押し上げる。
次に、図５（ｂ）に示すように、グローブ６を天井３と天蓋８の間に押し入れる。すると、照明板５の長手方向の他方の外縁部７ｂが開口部４に現れる。
次に、図５（ｃ）に示すように、現れた照明板５の長手方向の他方の外縁部７ｂをエレベーターカゴ室２側に引き落とす。
次に、図５（ｄ）に示すように、照明板５の長手方向の他方の外縁部７ｂを斜め下に引っ張ることにより、照明板５の長手方向の一方の外縁部７ａをエレベーターカゴ室２側に引き抜き、照明板５を開口部４から取り外すことができる。
照明板５を開口部４から取り外すと、ソケット９に取り付けられた直管蛍光灯１０が現れるので、直管蛍光灯１０をソケット９から取り外し、新しい直管蛍光灯１０をソケット９に取り付ける。
照明板５を開口部４に取り付ける手順は上述した取り外す手順の逆である。
【００１３】
次に、反射板１１を取り付けることによる照明板５の照明ムラの解消について説明する。
反射板１１を取り付けていないときには、図６（ａ）に示すように、直管蛍光灯１０の特性上両端に光束量が少ない部分もあり、また、ソケット９もあるので、照明板５に入射する光束量は中央部より両端１７が少なくなり、照明板５に照明ムラが生じる。
一方、反射板１１が取り付けられているときには、反射板１１が両端の光束量の少ない部分を囲むように取り付けられているので、反射板１１を取り付けていなければ反射しないで損失していた直管蛍光灯１０の他の部分からの光束を反射して照明板５の直管蛍光灯１０からの光束量の少ない部分に入射する。その結果、照明板５に入射される光束量のムラを解消し、照明板５の照明ムラを無くすことができる。
【００１４】
この発明に係るエレベーターカゴ室天井照明装置１では、直管蛍光灯１０の両端の光束量の少ないために照明板５に入射する光束量も少ない分を直管蛍光灯１０の両端を囲むように取り付けられた反射板１１で反射した光束が入射して補填するので、照明板５に入射する光束量にムラがなく、照明板５に照明ムラがない。
また、照明板５の外縁部７をバネ特性を有する反射板１１により天井３に押さえ付けるので、瞬間的な衝撃が加わっても外縁部７がずれて開口部４から照明板５が落下することが防止できる。
【００１５】
なお、反射板１１の傾斜部１５が真っ直ぐであるとして説明したが、アーチ形状であっても良い。
【図面の簡単な説明】
【００１６】
【図１】この発明を実施するための最良の形態のエレベーターカゴ室天井照明装置が配置されたエレベーターカゴ室内の様子を示す斜視図である。
【図２】エレベーターカゴ室天井照明装置のＡ−Ａ断面での縦断面図である。
【図３】エレベーターカゴ室天井照明装置を照明板を除いて見た平面図である。
【図４】エレベーターカゴ室天井照明装置のＢ−Ｂ断面での横断面図である。
【図５】照明板を開口部から取り外す様子を示す図である。
【図６】反射板を取り付けたことにより照明ムラが解消する様子を示す図である。
【符号の説明】
【００１７】
１  エレベーターカゴ室天井照明装置、２  エレベーターカゴ室、３  天井、４  開口部、５  照明板、６  グローブ、７、７ａ、７ｂ  外縁部、８  天蓋、９  ソケット、１０  直管蛍光灯、１１  反射板、１２  ねじ、１３  固定部、１４  穴、１５  傾斜部、１６  応圧部、１７  両端。
【図１】
2010058880.tif 000003
【図２】
2010058880.tif 000004
【図３】
2010058880.tif 000005
【図４】
2010058880.tif 000006
【図５】
2010058880.tif 000007
【図６】
2010058880.tif 000008